(57)【要約】【課題】タオルにループをつけることで生じるタオルの外観的および機能的制約をなくし、さらに、簡易に、且つ安全にタオルにループがつけられることを目的とする。【解決手段】タオル９を固定するための突起５ａ、５ｂを多数に設けたタオルループコネクター内の筒３ｂ、３ｅにループとなる紐またはリボンを通し、断端を結んで固定し、更にそのループがついたタオルループコネクターの突起面でタオルを挟み両端の引っ掛け雌部分４と引っ掛け雄部分６を密着させることで、ワンタッチでタオルにループをつけることができる。【選択図】図１
2004230109.tif 000002
【特許請求の範囲】
【請求項１】
板２枚の表面に多数の突起をつけた面が向かい合うようにタオルを挟むことでタオルを固定するタオルループコネクター。
【請求項２】
板を台形にした請求項１記載のタオルループコネクター。
【請求項３】
板と板の連結部分にループとなる紐またはリボンを固定するための筒状の通し穴をもつ請求項１記載のタオループコネクター。
【請求項４】
両端の雄雌の凹凸によりワンタッチで固定できる請求項３記載のタオルループコネクター。
【請求項５】
上記の突起を円錐状にし、その円錐軸を長辺に近い第一列目の突起を垂直に向け、その他の突起を台形の平行な対辺の短辺に傾けた請求項２記載のタオルループコネクター。
【発明の詳細な説明】
【０００１】
【発明の技術分野】
本発明は、タオルにループをつけるためのコネクターに関するものである。
【０００２】
【従来の技術】
タオルにループをつけるためには、針や鋏、ミシン等の機械を使用しなければならなかった。
【０００３】
ループにする紐またはリボンの断端の始末が面倒であり，それを含めタオルにループをつけるのに時間がかかる。
【０００４】
従来の固定方法では、縫製の仕方によっては使用時タオルからループがとれることがある。
【０００５】
過去にタオルにループをつけるための製品は発明されていない。
【０００６】
【発明が解決しようとする課題】
タオルにループをつけるためには針や鋏、ミシン等の機械を使用しなければならず危険である。
【０００７】
タオルにループをつけるためには時間がかかる。
【０００８】
タオルにループをつけると、タオルの活用範囲が、ループのないものに比べ制限される。即ちタオルとしての性能について外観的にも機能的にも制約ができる。
【０００９】
タオルにループを固定する際、縫製の仕方によってはループが取れるなど、固定が不安定になる。
【００１０】
【課題を解決するための手段】
本発明の要旨とするところは、台形の板２枚の表面に、多数の突起をつけた面が向かい合うようにタオルを挟み、台形の板と板の連結部分にループとなる紐またはリボンを固定するための筒状の通し穴をもち、両端の雄雌の凹凸によりワンタッチでタオルを固定することができるタオルループコネクターで、さらに突起の頂点を、台形の平行な対辺の短辺に傾けたタオルループコネクターを提供するものである。
【００１１】
【発明の実施の形態】
以下、この発明の実施の形態を図１に基づいて説明する。本体１ａ及び１ｂは台形の形をなし、突起５ａ、５ｂの円錐状の突起物によりタオルを固定するためのものである。但し、この突起物は円錐状に限らず、例えば柱状、角錐なども使用可能である。
【００１２】
本体１ａ及び１ｂは片面平坦で片面は円錐状の突起を多数にもつ。本体１ａ及び１ｂを連結部分１ｃとの境で凸側に折り曲げ、１ａ及び１ｂの突起５ａ、５ｂが接近した状態で、更に連結部分１ｄと引っ掛け雌部分４を凸側に折り曲げた状態で、引っ掛け雌４を本体１ａの引っ掛け雄部分６に密着させ、本体１ａ及び１ｂを固定する。
【００１３】
連結部分１ｄにある筒３ｂ、ならびに連結部分１ｃにある筒３ｅは、半円筒状の構造をもつ。筒３ｂは連結部分１ｄの長辺の２分の１の長さで、辺２ａ側に最も近い所に位置する。また、筒３ｅも同様に連結部分１ｃの長辺の２分の１の長さで、辺２ａ側に最も近い所に位置する。
【００１４】
突起５ａ、５ｂは、タオルを本体に固定するための円錐状の多数の突起である。
【００１５】
突起５ａ、５ｂの本体への付着部位は、本体１ａ及び１ｂが対面する際、本体１ａ側の突起と本体１ｂ側の突起とは交互に、また突起５ａ、５ｂの先端がそれぞれ接触しない位置にある。更に、突起５ａ、５ｂの円錐の高さについては、本体１ａと１ｂを対面させた際、本体１ａ面の突起５ａ、５ｂと、本体１ｂ面の突起５ａ、５ｂは互いにかみ合う程度である。
【００１６】
突起５ａ、５ｂの円錐の先端は、タオルを傷つけず使用者に安全であるよう、丸みを帯びていることが望ましい。
【００１７】
突起５ａ、５ｂについては図２、図３、図４、図５にも基づいて説明する。突起５ａは本体１ａ及び１ｂの突起５ａ、５ｂのうち、辺２ｂに最も近いところの列に位置する。また、突起５ａの円錐軸は図３のように本体１ａ及び１ｂに対し垂直に位置する。
【００１８】
突起５ｂは、突起５ａ以外の突起で、円錐軸は本体１ａ及び１ｂにおいて、図２、図５のように、本体１ａ、１ｂの面に対し垂直よりも辺２ａ側に対し垂直方向に傾く。
【００１９】
【実施例】
実施例にあたっては図６、図７に基づいて説明する。まず、図６の様に筒３ｂ及び筒３ｅにループとなる紐又はリボン７を固定する。そのためには、ループとなる紐またはリボン７を、筒口３ａより筒３ｂの筒中を経て筒口３ｃへ通し、続いてその紐またはリボン７を筒口３ｄより筒３ｅの筒中を通り筒口３ｆへ通す。そして、紐またはリボン７は、筒口３ａと筒口３ｆのヒモの断端をそれぞれカタ結びにし、その結び目８が、筒口３ａ及び筒口３ｆの穴の大きさより大きくなることで、ループとなる紐又はリボン７を固定する。
【００２０】
次に本体でタオル９を固定する。図６のように、辺２ａ側には、タオル９の角側、辺２ｂ側にはその末側があたるよう、タオル９を本体の突起側に置く。本体１ａ及び１ｂを連結部分１ｃとの境で凸側に折り曲げ、本体１ａ及び１ｂの突起５ａ、５ｂが接近した状態で、更に連結部分１ｄと引っ掛け雌部分４を凸側に折り曲げる。そして、引っ掛け雌部分４と引っ掛け雄部分６に密着させることで、図７のように本体１ａと１ｂでタオル９を固定する。
【００２１】
【発明の効果】
ワンタッチでタオルにループがつけることができ、針やミシン等を使わないため安全である。また、大幅な時間の短縮につながる。
【００２２】
更に、このコネクターひとつで様々なタオルに容易にループをつけることができ、また、交換が容易である。ループとなる紐またはリボンも、コネクターの穴にあったサイズであれば、様々な紐またはリボンが使用可能である。
【００２３】
短辺を上向きにして使用した状態においては、円錐状の突起の向きが、場所により斜め上に傾いているため、タオルを牽引した時にかかる力に対し、固定の効果を発揮しやすく、また壊れにくい。
【図面の簡単な説明】
【図１】タオルループコネクターの展開図である。
【図２】タオルループコネクターを使用時上から見た平面図である。
【図３】タオルループコネクターを使用時下から見た底面図である。
【図４】タオルループコネクターを使用時の正面図である。
【図５】Ｘ−Ｙの断面図である。
【図６】タオルループコネクターの使用例１である。
【図７】タオルループコネクターの使用例２である。
【符号の説明】
１ａ、１ｂ  本体
１ｃ  本体の連結部分
１ｄ  本体と引っ掛け雌部分との連結部分
２ａ  本体の上辺
２ｂ  本体の底辺
３ｂ、３ｅ  ループとなる紐またはリボンを通すための筒
３ａ、３ｃ、３ｄ、３ｆ  筒口
４  本体を固定するための引っ掛け雌部分
５ａ、５ｂ  円錐状の突起で、その中の小さい丸は円錐の頂点
６  本体を固定するための引っ掛け雄部分
７  ループとなる紐またはリボン
８  ループとなる紐またはリボンの結び目
９  タオル
【図１】
2004230109.tif 000003
【図２】
2004230109.tif 000004
【図３】
2004230109.tif 000005
【図４】
2004230109.tif 000006
【図５】
2004230109.tif 000007
【図６】
2004230109.tif 000008
【図７】
2004230109.tif 000009